(57)【要約】【課題】個人情報の漏洩防止のために、封筒に表示された宛先情報や差出人情報を切り取るという手間をかけることなく、個人情報が記載されたフィルム封筒を開封した場合に、自動的に宛先情報が表示されている部分を分断して切り取ることができるようにして、捨てられたフィルム封筒を見ても、簡単に個人情報が第三者に漏洩することを防止したフィルム封筒を提供する。【解決手段】表側フィルムと裏側フィルムとにより製袋された封筒本体を有し、前記表側フィルムの表面に、プリンタによる宛先情報の印字を可能とする処理が施された宛先表示領域が設けられたフィルム封筒であって、前記表側フィルムには、前記封筒本体の開封時に該表側フィルムを切り離すための切り取り用ミシン目が、前記宛先表示領域に印字されている宛先情報を分断可能な位置に設けられている。【選択図】        図１
2011063301.tif 000002
【特許請求の範囲】
【請求項１】
表側フィルムと裏側フィルムとにより製袋された封筒本体を有し、前記表側フィルムの表面に、プリンタによる宛先情報の印字を可能とする処理が施された宛先表示領域が設けられたフィルム封筒であって、
前記表側フィルムには、前記封筒本体の開封時に該表側フィルムを切り離すための切り取り用ミシン目が、前記宛先表示領域に印字されている宛先情報を分断可能な位置に設けられていることを特徴とするフィルム封筒。
【請求項２】
請求項１に記載のフィルム封筒であって、表面処理方法がマット処理であることを特徴とするフィルム封筒。
【請求項３】
前記切り取り用ミシン目が、前記表側フィルムの縦方向に対して並行に複数本形成され、前記切り取り用ミシン目が、宛先表示領域に印字されている宛先情報を３つ以上に分断可能な位置に設けられていることを特徴とする請求項１又は２記載のフィルム封筒。
【請求項４】
前記切り取り用ミシン目が、前記表側フィルムと前記裏側フィルムとに縦方向に直線状で形成されていることを特徴とする請求項１又は２記載のフィルム封筒。
【請求項５】
前記切り取り用ミシン目が、前記表側フィルムと前記裏側フィルムとに斜め方向に直線状で形成されていることを特徴とする請求項１又は２記載のフィルム封筒。
【請求項６】
前記切り取り用ミシン目が、前記表側フィルムの横方向に直線状で形成されていることを特徴とする請求項１又は２記載のフィルム封筒。
【請求項７】
前記表側フィルムには、プリンタによる差出人情報の印字を可能とするマット処理加工が施された差出人表示領域が設けられ、前記切り取り用ミシン目が、前記差出人表示領域に印字されている差出人情報を分断可能な位置に設けられていることを特徴とする請求項１又は２記載のフィルム封筒。
【発明の詳細な説明】
【技術分野】
【０００１】
本発明は、封筒本体が合成樹脂フィルムで作製されたフィルム封筒であって、特に、封筒本体を構成する表側フィルムの表面に直接宛先情報を印字して用いるフィルム封筒に関する。
【０００２】
従来、通信販売などの雑誌、種々の会員誌、パンフレット、カタログ、ダイレクトメール、などを顧客に送る場合には、例えば、封筒本体が透視可能な合成樹脂フィルムからなるフィルム封筒を用いることが行われている。
これらのフィルム封筒については、既に種々のものが公知となっている。（特許文献１〜３、参照）
【０００３】
通常、これらのフィルム封筒は、種々の企業側からその顧客などに対して種々の内容が記載された冊子などを封入させて送ることが多く、そのフィルム封筒に印刷や印字された宛先情報や差出人情報や広告情報などを見れば、その顧客と企業との関係がわかることも多い。
例えば、クレジット会社から送られてくる会員誌が封入されていたフィルム封筒を見れば、そのフィルム封筒には、宛先情報として顧客の個人情報が表示され、また差出人情報も表示されていることから、その顧客があるクレジット会社のカードを利用していることを調べることができる。
つまり、各々の個人情報を収集しようとする場合に、その家庭から排出されたゴミを集めて、そこに捨てられたフィルム封筒を集めれば、その個人が係っている企業などについても調べることができ、それらの漏洩した個人情報に基づいて、第三者が不正行為を行なう危険性もあるという問題がある。
【０００４】
上記のことから、個人情報が記載されたフィルム封筒を捨てる際には、宛先情報が表示されている部分を切り取るなどしてからゴミとして捨てることで、簡単に個人情報が漏洩しないようにすることが大切であるが、合成樹脂フィルムで作製されたフィルム封筒を切る際には、手で簡単に切り取ることができないために、その都度、ハサミを用いるなどして切り取る必要があり、面倒であり手間がかかるという問題がある。
【先行技術文献】
【特許文献】
【０００５】
【特許文献１】特開２００３−２２１０４０号公報
【特許文献２】特開２００４−２９９７５２号公報
【特許文献３】特開２００６−１０３７１０号公報
【発明の概要】
【発明が解決しようとする課題】
【０００６】
そこで、本発明は、個人情報が漏洩されることを防止するために、封筒に表示された宛先情報や差出人情報をわざわざ切り取るという手間をかけることなく、個人情報が記載されたフィルム封筒を開封した場合に、自動的に宛先情報が表示されている部分を分断して切り取ることができるようにして処理の効率化を図ることができ、更に捨てられたフィルム封筒を見ても、簡単に個人情報が第三者に漏洩することを防止したフィルム封筒を提供する。
【課題を解決するための手段】
【０００７】
本発明のフィルム封筒は、表側フィルムと裏側フィルムとにより製袋された封筒本体を有し、前記表側フィルムの表面に、プリンタによる宛先情報の印字を可能とする処理が施された宛先表示領域が設けられたフィルム封筒であって、前記表側フィルムには、前記封筒本体の開封時に該表側フィルムを切り離すための切り取り用ミシン目が、前記宛先表示領域に印字されている宛先情報を分断可能な位置に設けられていることを特徴とする。
【０００８】
また、本発明のフィルム封筒は、表面処理方法がマット処理であることを特徴とする。
【０００９】
また、本発明のフィルム封筒は、前記切り取り用ミシン目が、前記表側フィルムの縦方向に対して並行に複数本形成され、前記切り取り用ミシン目が、宛先表示領域に印字されている宛先情報を３つ以上に分断可能な位置に設けられていることを特徴とする。
【００１０】
更に、本発明のフィルム封筒は、前記切り取り用ミシン目が、前記表側フィルムと前記裏側フィルムとに縦方向に直線状で形成されていることを特徴とする。
【００１１】
また、本発明のフィルム封筒は、前記切り取り用ミシン目が、前記表側フィルムと前記裏側フィルムとに斜め方向に直線状で形成されていることを特徴とする。
【００１２】
更に、本発明のフィルム封筒は、前記切り取り用ミシン目が、前記表側フィルムの横方向に直線状で形成されていることを特徴とする。
【００１３】
また、本発明のフィルム封筒は、前記表側フィルムには、プリンタによる差出人情報の印字を可能とするマット処理加工が施された差出人表示領域が設けられ、前記切り取り用ミシン目が、前記差出人表示領域に印字されている差出人情報を分断可能な位置に設けられていることを特徴とする。
【発明の効果】
【００１４】
したがって、本発明のフィルム封筒は、封筒本体の開封時に表側フィルムを切り離すための切り取り用ミシン目が、宛先表示領域に印字されている宛先情報を分断可能な位置に設けられているので、個人情報が漏洩されることを防止するために、封筒に表示された宛先情報や差出人情報をわざわざ切り取るという手間をかけることなく、受け取ったフィルム封筒を開封した際に、自動的に宛先情報が表示されている部分を分断して切り取ることができるようにして、捨てられたフィルム封筒を見ても、簡単に個人情報が第三者に漏洩することを防止することができるという効果がある。
【００１５】
また、本発明のフィルム封筒は、切り取り用ミシン目が表側フィルムの縦方向に対して並行に複数本形成され、前記切り取り用ミシン目が、宛先表示領域に印字されている宛先情報を３つ以上に分断可能な位置に設けられているので、封筒本体を開封した際に、宛先表示領域に印字されている宛先情報を細分化して分断することができ、捨てられたフィルム封筒を見ても、より個人情報が第三者に漏洩することを防止することができるという効果がある。
【００１６】
また、本発明のフィルム封筒は、切り取り用ミシン目が表側フィルムと裏側フィルムとに縦方向に直線状で形成されているので、封筒本体を２つに分離でき、且つその分離した際に、自動的に宛先情報が表示されている部分を分断でき、したがって、捨てられた分断されたフィルム封筒の１部分を見ても、個人情報の一部分だけしか見ることができないので、第三者に個人情報が漏洩することを防止することができるという効果がある。
【００１７】
また、本発明のフィルム封筒は、切り取り用ミシン目が、表側フィルムと裏側フィルムとに斜め方向に直線状で形成されているので、封筒本体を斜め方向に２つに分離でき、且つその分離した際に、自動的に宛先情報が表示されている部分を斜め方向に分断でき、したがって、捨てられた分断されたフィルム封筒の１部分を見ても、個人情報の一部分だけしか見ることができないので、第三者に個人情報が漏洩することを防止することができるという効果がある。
【００１８】
また、本発明のフィルム封筒は、切り取り用ミシン目が、表側フィルムの横方向に直線状で形成されているので、個人情報が記載されたフィルム封筒が開封された場合に、自動的に宛先情報が表示されている部分を上側と下側とに分断して切り取ることができ、したがって、捨てられたフィルム封筒を見ても、簡単に個人情報が第三者に漏洩することを防止することができるという効果がある。
【００１９】
また、本発明のフィルム封筒は、表側フィルムに差出人表示領域が設けられ、切り取り用ミシン目が差出人表示領域に印字されている差出人情報を分断可能な位置に設けられているので、個人情報が記載されたフィルム封筒が開封された場合に、自動的に宛先情報だけでなく差出人情報が印字されている部分も分断されるので、捨てられたフィルム封筒を見ても、そのフィルム封筒がどこから送られてきたものであるのか簡単にわからなくしてあり、広い意味での個人情報が第三者に漏洩することを防止することができるという効果がある。
【図面の簡単な説明】
【００２０】
【図１】本発明の第１実施形態のフィルム封筒の斜視図である。
【図２】本発明の第１実施形態のフィルム封筒において、開封するために表側フィルムの一部を切り取った状態を示す斜視図である。
【図３】図１のＡ−Ａ線断面図である。
【図４】本発明の第１実施形態のフィルム封筒の平面図である。
【図５】本発明の第２実施形態のフィルム封筒の平面図である。
【図６】図１のＢ−Ｂ線断面図である。
【図７】本発明の第２実施形態のフィルム封筒において、開封するために表側フィルムの一部を切り取った状態を示す斜視図である。
【図８】本発明の第３実施形態のフィルム封筒の平面図である。
【図９】本発明の第３実施形態のフィルム封筒において、開封するために表側フィルムの一部を切り取った状態を示す斜視図である。
【図１０】本発明の第４実施形態のフィルム封筒の平面図である。
【図１１】本発明の第４実施形態のフィルム封筒において、開封するために表側フィルムの複数の所定部分を切り取った状態を示す斜視図である。
【図１２】本発明の第５実施形態のフィルム封筒の斜視図である。
【図１３】図１２のＣ−Ｃ線断面図である。
【図１４】本発明の第５実施形態のフィルム封筒において、開封するために表側フィルムの所定部分を切り取った状態を示す斜視図である。
【発明を実施するための形態】
【００２１】
以下、本発明の実施形態に係るフィルム封筒を図面に基づいて詳細に説明する。
まず、本発明の第１実施形態に係るフィルム封筒１Ａを、図１及び図４に基づいて説明する。
図１に示すように、第１実施形態に係るフィルム封筒１Ａは、表側フィルム２ａと裏側フィルム２ｂとにより製袋された封筒本体２を有している。
表側フィルム２ａの表面には、プリンタによる宛先情報の印字を可能とする処理が施された宛先表示領域３と、更に、プリンタによる差出人情報の印字を可能とする処理が施された差出人表示領域４と、が設けられている。
ここで、宛先表示領域３や差出人表示領域４に対する印字を可能とする表面処理方法としては、マット処理やコロナ処理などがある。
そして、宛先表示領域３には、プリンタなどにより宛先の住所や宛名などの宛先情報５が印字されており、また、差出人表示領域４には、プリンタなどにより差出人の住所や宛名などの差出人情報６が印字されている。
また、フィルム封筒１Ａの内部には、雑誌やパンフレットなどの差出人が所望する種々の郵送物７が封入されている。
【００２２】
表側フィルム２ａには、封筒本体２の開封時に表側フィルム２ａの一部を切り離すための切り取り用ミシン目８ａ，８ｂが縦方向に２列平行に形成されている。
また、この２列の切り取り用ミシン目８ａ，８ｂの両端部には、それらの両端部を結ぶ状態でミシン目またはスリットなどの切込み９がそれぞれ形成されている。
なお、このミシン目またはスリットなどの切込み９は、必ずしも形成する必要はないが、切込み９を形成することで開封時に表側フィルム２ａの一部を切り離しやすくなるので、形成することが好ましい。
【００２３】
また、封筒本体２の開封時に表側フィルム２ａを切り離すための切り取り用ミシン目８ａ，８ｂは、少なくとも宛先表示領域３に印字されている宛先情報５と、更に、差出人表示領域４に印字されている差出人情報６と、を分断可能な位置に設けられている。
つまり、図２に示すように、切込み９から指を入れて表側フィルム２ａを摘みながら平行に形成された切り取り用ミシン目８ａ，８ｂの間の部分を引っ張ることで、表側フィルム２ａの一部分２ｃを切り取ることができ、封筒の開封処理を行えるように構成されている。
この開封処理を行うと同時に、宛先表示領域３に印字されている宛先情報５と、更に、差出人表示領域４に印字されている差出人情報６と、が３分割されるように構成されている。
【００２４】
これにより、表側フィルム２ａの一部分２ｃが切り取られた後の封筒本体２には、図２に示すように、宛先情報５と差出人情報６とが特定できない状態で表示されており、その封筒本体２を捨てた場合でも、その捨てられた封筒から正確な宛先情報５と差出人情報６とを確認できないようにして個人情報が漏洩できないようにしてある。
また、同様に、切り取り用ミシン目８ａ，８ｂから切り取られた表側フィルム２ａの一部分２ｃを捨てた場合に、その捨てられた表側フィルム２ａの一部分２ｃから正確な宛先情報５と差出人情報６とを確認できないようにして個人情報が漏洩できないようにしてある。
尚、個人情報が漏洩防止をより図るために、表側フィルム２ａの一部分２ｃが切り取られた後の封筒本体２と、切り取り用ミシン目８ａ，８ｂから切り取られた表側フィルム２ａの一部分２ｃとは、別々のゴミとして捨てることが好ましい。
【００２５】
また、表側フィルム２ａに形成された切り取り用ミシン目８ａ，８ｂの形成位置は、図１及び図４に示す位置に限定されるものではなく、宛先表示領域３に印字されている宛先情報５と、更に、差出人表示領域４に印字されている差出人情報６と、を分断した際に、それらの個人情報が正確に確認できないような位置であれば種々の位置に設けることができる。
【００２６】
次に、本発明の第２実施形態に係るフィルム封筒１Ｂを、図５乃至図７に基づいて説明する。
上記した第１実施形態に係るフィルム封筒１Ａでは、表側フィルム２ａに２列の切り取り用ミシン目８ａ，８ｂを形成したが、第２実施形態に係るフィルム封筒１Ｂでは、図５及び図６に示すように、１列だけの切り取り用ミシン目８ｃを形成したものであり、更に、フィルム封筒１Ｂでは、封筒本体２の左右方向の略中央部分において、表側フィルム２ａと裏側フィルム２ｂとの両方に縦方向に直線的に１列の切り取り用ミシン目８ｃが形成されている。
つまり、切り取り用ミシン目８ｃが、表側フィルム２ａと裏側フィルム２ｂとが重なり合う同じ位置に形成されている。
この１列の切り取り用ミシン目８ｃは、表側フィルム２ａの表面に設けられた宛先表示領域３及び差出人表示領域４を左右に分断して、それらに表示されている宛先情報５及び差出人情報６を２つに分けて切り取れる位置に形成されている。
【００２７】
したがって、フィルム封筒１Ｂを開封する際には、図７に示すように、封筒本体２の左右部分を摘んで、左右方向に引っ張ることで、表側フィルム２ａと裏側フィルム２ｂとに形成された直線的に１列の切り取り用ミシン目８ｃから切り取られて分離することで、封入物７を取り出すことができるように構成され、その際に自動的に宛先情報５及び差出人情報６も２分割される。
したがって、２分割されたフィルム封筒１Ｂの一方の宛先表示領域３及び差出人表示領域４を見ても、宛先情報５及び差出人情報６の左右のいずれかの半分だけしか見ることができないので、そのフィルム封筒１Ｂが誰宛に送られたものであるのか、またどこから送られてきた封筒であるのかを明確に確認できないようにしてある。
これにより、捨てられたフィルム封筒１Ｂに表示されている個人情報が簡単に漏洩されないようにしてある。
【００２８】
次に、本発明の第３実施形態に係るフィルム封筒１Ｃを、図８及び図９に基づいて説明する。
実施形態に係るフィルム封筒１Ｃでは、表側フィルム２ａと裏側フィルム２ｂとの両方に、斜め方向に直線的に１列の切り取り用ミシン目８ｄが形成されている。
この切り取り用ミシン目８ｄは、表側フィルム２ａと裏側フィルム２ｂとが重なり合う同じ位置に形成されている。
また、この切り取り用ミシン目８ｄは、表側フィルム２ａの表面に設けられた宛先表示領域３及び差出人表示領域４を斜めに分断して、それらに表示されている宛先情報５及び差出人情報６を傾斜状に２つに分けて切り取れる位置に形成されている。
【００２９】
したがって、フィルム封筒１Ｃを開封する際には、図９に示すように、封筒本体２の右上部分と左下部分とを摘んで、斜め方向に引っ張ることで、表側フィルム２ａと裏側フィルム２ｂとに形成された切り取り用ミシン目８ｄから切り取られて分離することで、封入物７を取り出すことができるように構成され、その際に自動的に宛先情報５及び差出人情報６も２分割される。
したがって、２分割されたフィルム封筒１Ｂの一方の宛先表示領域３及び差出人表示領域４を見ても、宛先情報５及び差出人情報６の全体を見ることができないので、そのフィルム封筒１Ｂが誰宛に送られたものであるのか、またどこから送られてきた封筒であるのかを明確に確認できないようにしてある。
これにより、捨てられたフィルム封筒１Ｂに表示されている個人情報が簡単に漏洩されないようにしてある。
【００３０】
次に、本発明の第４実施形態に係るフィルム封筒１Ｄを、図１０及び図１１に基づいて説明する。
実施形態に係るフィルム封筒１Ｄでは、表側フィルム２ａと裏側フィルム２ｂとの両方に、横方向に形成された切り取り用ミシン目８ｅが、縦方向に所定間隔で複数列形成されている。
この切り取り用ミシン目８ｅは、表側フィルム２ａと裏側フィルム２ｂとが重なり合う同じ位置に形成されている。
また、この複数の切り取り用ミシン目８ｅは、表側フィルム２ａの表面に設けられた宛先表示領域３及び差出人表示領域４を縦方向に分断して、それらに表示されている宛先情報５及び差出人情報６を複数に分けて切り取れる位置に形成されている。
【００３１】
したがって、フィルム封筒１Ｄを開封する際には、図１１に示すように、複数の切り取り用ミシン目８ｅから封筒本体２を切り取ることで分離して、封入物７を取り出すことができるように構成され、その際に自動的に宛先情報５及び差出人情報６も複数に分割される。
したがって、複数に分割されたフィルム封筒１Ｄの１つを見ても宛先情報５及び差出人情報６の全体を見ることができないので、そのフィルム封筒１Ｄが誰宛に送られたものであるのか、またどこから送られてきた封筒であるのかを明確に確認できないようにしてある。
これにより、捨てられたフィルム封筒１Ｄに表示されている個人情報が簡単に漏洩されないようにしてある。
【００３２】
次に、本発明の第５実施形態に係るフィルム封筒１Ｅを、図１２乃至図１４に基づいて説明する。
実施形態に係るフィルム封筒１Ｅでは、上記した第１実施形態に係るフィルム封筒１Ａにおいて、表側フィルム２ａに形成した２列の切り取り用ミシン目８ａ，８ｂを、裏側フィルム２ｂにも形成させた構成を有している。
また、表側フィルム２ａに形成した２列の切り取り用ミシン目８ａ，８ｂの封筒の上方向の先端部分には、コ字状のスリット１０が形成されている。
このコ字状のスリット１０の部分に指を入れて、２列の切り取り用ミシン目８ａ，８ｂから切り取れるようになっている。
フィルム封筒１Ｅを開封する際には、図１４に示すように、表側フィルム２ａに形成した２列の切り取り用ミシン目８ａ，８ｂの部分を縦方向に引っ張ることで、表側フィルム２ａ及び裏側フィルム２ｂを簡単に切り取ることができ、封筒本体２を切り取ることで分離して、封入物７を取り出すことができるように構成され、その際に自動的に宛先情報５及び差出人情報６も複数に分割される。
したがって、複数に分割されたフィルム封筒１Ｅの１つを見ても宛先情報５及び差出人情報６の全体を見ることができないので、そのフィルム封筒１Ｅが誰宛に送られたものであるのか、またどこから送られてきた封筒であるのかを明確に確認できないようにしてある。
これにより、捨てられたフィルム封筒１Ｅに表示されている個人情報が簡単に漏洩されないようにしてある。
【００３３】
上記のように、本発明のフィルム封筒は、本来、封筒本体に形成されている切り取りミシン目が、宛先情報５及び差出人情報６の表示されている部分を複数領域に分割可能な位置に形成されているので、開封処理と同時に宛先情報５及び差出人情報６の表示部分も分割することができ、従来のように捨てられた封筒に宛先情報５及び差出人情報６の全体が表示されない状態として捨てることができる。
これにより、わざわざ宛先情報５及び差出人情報６が表示された部分をハサミなどで切り取るなどの手間を省くことができるように構成されている。
【符号の説明】
【００３４】
１Ａ  第１実施形態に係るフィルム封筒
１Ｂ  第２実施形態に係るフィルム封筒
１Ｃ  第３実施形態に係るフィルム封筒
１Ｄ  第４実施形態に係るフィルム封筒
１Ｅ  第５実施形態に係るフィルム封筒
２ａ  表側フィルム
２ｂ  裏側フィルム
２ｃ  表側フィルムの一部分
３  宛先表示領域
４  差出人表示領域
５  宛先情報
６  差出人情報
７  郵送物
８ａ，８ｂ，８ｃ，８ｄ，８ｅ  切り取り用ミシン目
９  切込み
１０  スリット
【図１】
2011063301.tif 000003
【図２】
2011063301.tif 000004
【図３】
2011063301.tif 000005
【図４】
2011063301.tif 000006
【図５】
2011063301.tif 000007
【図６】
2011063301.tif 000008
【図７】
2011063301.tif 000009
【図８】
2011063301.tif 000010
【図９】
2011063301.tif 000011
【図１０】
2011063301.tif 000012
【図１１】
2011063301.tif 000013
【図１２】
2011063301.tif 000014
【図１３】
2011063301.tif 000015
【図１４】
2011063301.tif 000016